(57)【特許請求の範囲】
【請求項１】
屈曲自在な拘束体の両端に形成された被係止部が挿入される一対の連結孔を備えたケースと、
前記連結孔内に並進移動して進退し、連結孔内に挿入された前記被係止部に係脱する一対のロック片と、
所定の解錠キーによってのみ回転操作可能にケース内に収容されるプラグとを有し、
前記ロック片の係止位置における連結孔への突出部には、被係止部の連結孔への挿入操作力から係止解除方向への操作分力を得るガイド斜面が設けられるとともに、
前記プラグにはロック片に設けられたフォロアー突部が離接自在に当接し、プラグの解錠方向への回転に伴ってロック片を係止解除方向に変位させるカム面が各ロック片に対応して一対設けられ、
各ロック片には、前記フォロアー突部をカム面に圧接させてロック片を係止位置側に付勢する付勢力が付与され、
かつ、前記プラグは、軸長方向をケースの長手方向に一致させて配置され、キー差し込み口がケースの一端面から露出し、
前記ケースの他端側には、一対の連結孔がプラグの回転軸の属する面に交差する方向に開設され、
前記一対のカム面は、プラグ後端部において該プラグの回転軸に直交する面内に形成され、
前記一対のロック片の各々は、ガイド斜面とフォロアー突部とを両端部に配置した長尺のブロック状に形成されてプラグ外周側においてプラグと連結孔との間に介装され、プラグの回転中心に沿って並進駆動されて係脱位置間を移動する錠装置。
【請求項２】
前記プラグはロック片の係止位置に対応する施錠回転位置を挟んで時計、反時計回りに一対の解錠回転位置へと回転操作自在であり、
前記連結孔およびロック片のそれぞれの一対はプラグの回転中心に対して対称位置に形成され、前記解錠回転位置に至る回転方向側に配置された一方のロック片のみが当該解錠回転位置へのプラグの回転に伴って係止解除方向に変位する請求項１記載の錠装置。
【請求項３】
前記カム面は解錠回転位置においてロック片を係脱位置の中間位置まで駆動するとともに、
ロック片の解錠回転位置における連結孔への突出部には、被係止部への抜去操作力から係止解除方向への操作分力を得るストッパ斜面が設けられる請求項１または２記載の錠装置。
【発明の詳細な説明】
【技術分野】
【０００１】
本発明は、錠装置に関するものである。
【背景技術】
【０００２】
２個の連結孔にケーブル（拘束体）の両端を各々独立に連結可能とした錠装置としては、特許文献１の図３に記載のものが知られている。この従来例において、プラグにはプラグの回転中心に対して非対称形状の凹部を有するカムが形成されており、該カムと連結孔との間に端子固定ロッドが介装される。
【０００３】
プラグを所定回転位置まで回転させると、カムの凹部が端子固定ロッドの端部に位置し、端子固定ロッドの連結孔からの待避スペースが確保され、連結されていた拘束体を抜去できる。
【先行技術文献】
【特許文献】
【０００４】
【特許文献１】特開２００６-６３７７６号公報
【発明の概要】
【発明が解決しようとする課題】
【０００５】
しかし、上述した従来例において、拘束体を装着する際には、一旦プラグを回転させて端子固定ロッドが連結孔から待避するためのスペースを確保する必要があるために、使い勝手が非常に悪いという欠点がある。
【０００６】
本発明は、以上の欠点を解消すべくなされたものであって、拘束体を連結孔に押し込むだけで装着可能とすることにより使い勝手を向上させた錠装置の提供を目的とする。
【課題を解決するための手段】
【０００７】
本発明によれば上記目的は、
屈曲自在な拘束体１の両端に形成された被係止部２が挿入される一対の連結孔３を備えたケース４と、
前記連結孔３内に並進移動して進退し、連結孔３内に挿入された前記被係止部２に係脱する一対のロック片５と、
所定の解錠キー６によってのみ回転操作可能にケース４内に収容されるプラグ７とを有し、
前記ロック片５の係止位置における連結孔３への突出部には、被係止部２の連結孔３への挿入操作力から係止解除方向への操作分力を得るガイド斜面８が設けられるとともに、
前記プラグ７にはロック片５に設けられたフォロアー突部９が離接自在に当接し、プラグ７の解錠方向への回転に伴ってロック片５を係止解除方向に変位させるカム面１０が各ロック片５に対応して一対設けられ、
各ロック片５には、前記フォロアー突部９をカム面１０に圧接させてロック片５を係止位置側に付勢する付勢力が付与され、
かつ、前記プラグ７は、軸長方向をケース４の長手方向に一致させて配置され、キー差し込み口７ａがケース４の一端面から露出し、
前記ケース４の他端側には、一対の連結孔３がプラグ７の回転軸の属する面に交差する方向に開設され、
前記一対のカム面１０は、プラグ７後端部において該プラグ７の回転軸に直交する面内に形成され、
前記一対のロック片５の各々は、ガイド斜面８とフォロアー突部９とを両端部に配置した長尺のブロック状に形成されてプラグ７外周側においてプラグ７と連結孔３との間に介装され、プラグ７の回転中心に沿って並進駆動されて係脱位置間を移動する錠装置を提供することにより達成される。
【０００８】
ケース４には拘束体１の両端に対応して一対の連結孔３が開設されており、各連結孔３に対応して一対のロック片５が配置される。各ロック片５は独立して係止位置と係止解除位置との間を並進移動して対応する連結孔３に挿入される拘束体１の被係止部２を係脱し、該被係止部２の連結状態を維持、解除する。
【０００９】
カム面１０とフォロアー突部９とは、離接自在で、プラグ７を解錠方向に回転させたときにカム面１０がフォロアー突部９に当接する関係で配置されるとともに、ロック片５にはフォロアー突部９がカム面１０に圧接する方向の付勢力が付与される。
【００１０】
ロック片５が係止位置ある状態で拘束体１の被係止部２を連結孔３に挿入すると、ロック片５には傾斜面から係止解除方向の分力が付与されて一旦係止解除位置に移動した後、付勢力により係止位置に復帰し、以後、被係止部２の連結孔３からの離脱が規制される。
【００１１】
したがって本発明において、プラグ７を操作することなく施錠状態で被係止部２を連結孔３に押し込むだけで拘束体１を連結することができるために、操作性が向上する。また、ロック片５はプラグ７に形成されるカム面１０から直接操作力を受けて作動するために、プラグ７とロック片５との間に特別な介在機構を要しないために、構造が簡単になる。
【００１２】
また、
前記連結孔３は、プラグ７の回転軸が属する面に交差する方向に開設されるとともに、
カム面１０は、プラグ７の回転軸に直交する面内に形成され、
前記ロック片５がプラグ７の回転中心に沿って並進駆動されて係脱位置間を移動することにより、ロック片５の移動スペースをプラグ７の軸長方向に集中させることができるために、連結孔３間の間隔を狭くして外観をコンパクトにすることができる。
【００１３】
さらに、錠装置は、
前記プラグ７はロック片５の係止位置に対応する施錠回転位置を挟んで時計、反時計回りに一対の解錠回転位置へと回転操作自在であり、
前記連結孔３およびロック片５のそれぞれの一対はプラグ７の回転中心に対して対称位置に形成され、前記解錠回転位置に至る回転方向側に配置された一方のロック片５のみが当該解錠回転位置へのプラグ７の回転に伴って係止解除方向に変位して構成することができる。
【００１４】
また、
前記カム面１０は解錠回転位置においてロック片５を係脱位置の中間位置まで駆動するとともに、
ロック片５の解錠回転位置における連結孔３への突出部には、被係止部２への抜去操作力から係止解除方向への操作分力を得るストッパ斜面１１が設けられる 錠装置を構成すると、プラグ７を解錠方向に回転させた後、さらに拘束体１に抜去方向の引張力を負荷しなければ拘束体１を抜去できなくなる。この結果、プラ グ７を回転操作しただけで不用意に拘束体１がケース４から離脱することを防止することができる。
なお、本発明によれば、
屈曲自在な拘束体１の両端に形成された被係止部２が挿入される一対の連結孔３を備えたケース４と、
前記連結孔３内に並進移動して進退し、連結孔３内に挿入された前記被係止部２に係脱する一対のロック片５と、
所定の解錠キー６によってのみ回転操作可能にケース４内に収容されるプラグ７とを有し、
前記ロック片５の係止位置における連結孔３への突出部には、被係止部２の連結孔３への挿入操作力から係止解除方向への操作分力を得るガイド斜面８が設けられるとともに、
前記プラグ７にはロック片５に設けられたフォロアー突部９が離接自在に当接し、プラグ７の解錠方向への回転に伴ってロック片５を係止解除方向に変位させるカム面１０が各ロック片５に対応して一対設けられ、
かつ、各ロック片５には、前記フォロアー突部９をカム面１０に圧接させてロック片５を係止位置側に付勢する付勢力が付与される錠装置を提供することも可能である。
【発明の効果】
【００１５】
本発明によれば、拘束体を連結孔に押し込むだけで装着することができるために、使い勝手が向上する。
【図面の簡単な説明】
【００１６】
【図１】拘束体を示す図で、（ａ）は錠装置により拘束体をループ状に連結した状態を示す平面図、（ｂ）は拘束体を折り畳んだ状態を示す平面図、（ｃ）は（ｂ）の正面図である。
【図２】錠装置を示す図で、（ａ）は断面図、（ｂ）は（ａ）の２Ｂ方向矢視図である。
【図３】カム部材を示す図で、（ａ）は下方から見た図、（ｂ）は（ａ）の３Ｂ方向矢視図、（ｃ）は（ａ）の３Ｃ方向矢視図である。
【図４】解錠動作を示すで、（ａ）は図５（ａ）の要部拡大図、（ｂ）は図５（ｂ）の要部拡大図である。
【図５】解錠動作を示す断面図で、（ａ）は右側のロック片が中間位置まで移動した状態を示す図、（ｂ）は（ａ）の状態から被係止部を抜去操作した状態を示す図である。
【図６】カム部材の変形例を示す図で、（ａ）は下方から見た図、（ｂ）は（ａ）の６Ｂ方向矢視図、（ｃ）は（ａ）の６Ｃ方向矢視図である。
【図７】本発明の他の実施の形態を示す図である。
【発明を実施するための形態】
【００１７】
図１に示すように、錠装置は、屈曲自在な拘束体１の両端を連結して該拘束体１を閉ループ状態とすることにより施錠対象を拘束する所謂ワイヤ錠として使用される。本例における拘束体１は、焼入鋼等により形成された芯材の表面を合成樹脂材により被覆して形成したアーム１ａを水平回転自在に連結して形成され、図１（ｂ）、（ｃ）に示すように、不使用時には折り畳んで保管することができる。
【００１８】
また、上記拘束体１の両端に配置されるアーム１ａの先端には円柱部１ｂが形成され、該円柱部１ｂに直交して凹溝を切り込むことによって被係止部２が形成される。
【００１９】
図２に示すように、錠装置は、上記拘束体１の被係止部２が挿入される連結孔３を備えたほぼ直方体形状をなすケース４と、ケース４内に収容されるプラグ７、およびロック片５とを有する。
【００２０】
プラグ７は軸長方向をケース４の長手方向に一致させてケース４の中心部に配置され、ケース４の一端面に露出するキー差し込み口７ａから挿入される真正な解錠キー６によってのみ施錠回転位置から解錠回転位置まで回転操作することができる（以下、本明細書において、プラグ７のキー差し込み口７ａが配置される側を「下」として位置関係を説明する。）。本例において、プラグ７の解錠回転位置は、施錠回転位置から時計、反時計両方向に９０°回転させた位置に各々設定される。
【００２１】
連結孔３は、上記拘束体１の円柱部１ｂが挿入可能で，軸長方向がプラグ７の回転中心に直交する円形断面孔として形成され、プラグ７の回転中心に対して対称位置に一対形成される。
【００２２】
ロック片５は、上下方向に並進移動して上記連結孔３に直交方向から進退する矩形横断面形状を有するブロック状部材であり、圧縮スプリング１２により連結孔３への突出方向（上方向）に付勢される。このロック片５は鉛直面からなる係止面５ａと、係止面５ａと反対面の上端部を面取状に切り落として形成されるガイド斜面８とを有し、係止面５ａを対峙させた状態で各連結孔３に対応して配置される。
【００２３】
後述するように、ロック片５はカム面１０により図２（ａ）に示ように上記連結孔３内に突出して上記拘束体１の被係止部２に係止する係止位置と、図４（ａ）の右側に示すように、上端がやや連結孔３内に突出する暫定停止位置（完全に係止が解除される係止解除位置との中間位置）との間で駆動され、上記ガイド斜面８は、係止位置における連結孔３内への突出部のほぼ全域を斜めに切り落とした形状に形成される。また、係止面５ａの上端には暫定停止位置における連結孔３内への突出部を面取状に斜めに切り落とした形状のストッパ斜面１１が設けられるとともに、係止面５ａの下端には上述した圧縮スプリング１２の付勢力により後述するカム面１０に圧接されるフォロアー突部９が突設される。
【００２４】
上記ロック片５を圧縮スプリング１２の付勢力に抗して所定位置に移動させるために、カム面１０が形成される。本例において、カム面１０は汎用のプラグ７を使用するために、プラグ７後端に連結されるアタッチメント１３を介してプラグ７に連結されるカム部材１４に形成されるが、プラグ７に一体に形成することもできる。
【００２５】
図３に示すように、カム部材１４は、中心部に開設される角孔１４ａをプラグ７の軸部に外嵌してプラグ７に空転不能に嵌合、連結され、該カム部材１４の周縁部下面に凹凸を形成することにより上記カム面１０が形成される。カム面１０は低背部１０ａ、高背部１０ｂ、および低背部１０ａと高背部１０ｂとを接続する斜面部１０ｃとから構成され、図３（ａ）に示すように、プラグ７が施錠回転位置にあるときに各ロック片５のフォロアー突部９は低背部１０ａに対応し、時計回り、あるいは反時計回りに９０°回転して解錠回転位置まで移動した際には、いずれか一方のロック片５のフォロアー突部９が高背部１０ｂに対応し、他方は低背部１０ａに留まるように配置される。
【００２６】
したがってこの実施の形態において、プラグ７が施錠回転位置、すなわち、解錠キー６が抜去された状態においては、フォロアー突部９はカム面１０の低背部１０ａに対応しており、圧縮スプリング１２によりカム面１０に押し付けられる。低背部１０ａはロック片５が係止位置まで突出する高さに設定されており、この状態で図２（ａ）の右側に示すように、拘束体１の円柱部１ｂを連結孔３に押し込むと、まず、円柱部１ｂがガイド斜面８に当接し、さらに押し込み操作を続けると、ガイド斜面８にはロック片５を下方に押し付ける分力が発生する。
【００２７】
一方、カム面１０は、ロック片５を上方に引き上げる力のみを付与し、ロック片５の下方への移動は何等規制されないために、ロック片５は上記分力により下方に移動して円柱体をかわした後、被係止部２に合致すると、圧縮スプリング１２の反力により被係止部２に係止し、図２（ａ）の左側に示す係止状態となる。
【００２８】
係止状態において、円柱部１ｂに抜去操作力を負荷しても、係止面５ａと被係止部２の壁面とは引き抜き方向に対して直交する面で接触しているために、ロック片５には下方への分力は発生せず、係止状態が維持される。
【００２９】
以上の施錠回転位置からプラグ７を時計回りに解錠回転位置まで回転操作すると、右側のロック片５のフォロアー突部９が斜面部１０ｃを経由して高背部１０ｂに乗り上げ、他方のフォロアー突部９は低背部１０ａに留まる。高背部１０ｂはロック片５が暫定停止位置となる寸法に設定されており、図４（ａ）、図５（ａ）に示すように、右側のロック片５のみが暫定停止位置に移動するのに対し、左側のロック片５は依然係止位置に留まって円柱体の抜去が規制される。
【００３０】
一方、暫定停止位置において、ロック片５の被係止部２への係止状態は維持されているために、拘束体１の自重等によって円柱部１ｂが直ちに抜去されることはない。また、暫定停止位置において被係止部２はストッパ斜面１１に対峙しているため、この状態から円柱部１ｂに所定の抜去操作力を付与すると、ストッパ斜面１１に下方への分力が発生し、図４（ｂ）、図５（ｂ）に示すように、抜去操作が可能になる。
【００３１】
以上において、プラグ７を施錠回転位置から時計回り，すなわち右方向に回転させて回転方向に一致する右側のロック片５を暫定停止位置に駆動する場合を示したが、プラグ７を反時計回り、すなわち左方向に回転させた場合には、回転方向に一致する左側のロック片５のみが暫定停止位置に移動し、右側のロック片５は係止位置に留まる。
【００３２】
図６、７に本発明の他の実施の形態を示す。なお、本実施の形態の説明において、上述した実施の形態と実質的に同一の構成要素は図中に同一符号を付して説明を省略する。
【００３３】
この実施の形態は、上述した実施の形態がプラグ７を施錠回転位置から時計、反時計回りに回転して各々の解錠回転位置まで操作した際、回転方向に一致するロック片５のみを暫定停止位置に移動させるように構成されるのに対し、本実施例におけるプラグ７は時計、あるいは反時計いずれか一方向（本例においては反時計回り）にのみ回転操作可能に構成される。
【００３４】
カム面１０は、図６に示すように、施錠回転位置において双方のロック片５が低背部１０ａに対応し、反時計回りにプラグ７を回転操作すると、双方のロック片５が斜面部を経由して高背部１０ｂに対応する。
【００３５】
この結果、プラグ７を解錠回転位置まで回転操作すると、図７に示すように、双方のロック片５が暫定停止位置まで移動し、この後、さらに拘束体１の円柱部１ｂを引き抜き操作することにより抜去することができる。
【００３６】
なお、本例では解錠回転位置への回転操作により双方のロック片５が同時に暫定停止位置まで移動する場合を示したが、例えば、解錠回転位置に至る手前で一方のみが暫定停止位置に達し、引き続き回転操作することにより双方を引き抜き可能にするなど、カム面１０を適宜変更することにより、動作順序を変更することができる。
【符号の説明】
【００３７】
１        拘束体
２        被係止部
３        連結孔
４        ケース
５        ロック片
６        解錠キー
７        プラグ
８        ガイド斜面
９        フォロアー突部
１０      カム面
１１      ストッパ斜面
【図１】
0005959863.tif 000002
【図２】
0005959863.tif 000003
【図３】
0005959863.tif 000004
【図４】
0005959863.tif 000005
【図５】
0005959863.tif 000006
【図６】
0005959863.tif 000007
【図７】
0005959863.tif 000008